(57)【要約】      （修正有）【課題】冷却風が外側に漏れ出すことを防止し、効率的に身体を冷却する冷却衣服を提供する。【解決手段】冷却衣服１は、軸流ファンを駆動するモータ、外側から空気を取り込む空気取込口、および内側に冷却風を送出する空気送出口を有する風発生装置が装着される取付け孔が、背面に形成され、表地側と裏地側を貫通し、作業装着具３０と連結される連結ベルト３１が通されるカバー部２０が前面に設けられている。【選択図】図４
0003212889.tif 000002
【実用新案登録請求の範囲】
【請求項１】
軸流ファンを駆動するモータ、外側から空気を取り込む空気取込口、および内側に冷却風を送出する空気送出口を有する風発生手段が装着される取付け孔が、背面に形成された冷却衣服において、
表地側と裏地側を貫通し、作業者が着用する作業装着具と連結される連結部材が通される通路部が、前面に設けられている、
ことを特徴とする冷却衣服。
【請求項２】
胴体部を高さ方向に向けて二等分する中心線の両側の脇腹近傍にポケット部を有し、
前記通路部は、前記ポケット部と連通して形成されている、
ことを特徴とする請求項１に記載の冷却衣服。
【請求項３】
前記通路部の開口縁を塞ぐ閉塞手段、又は前記開口縁を収縮させる収縮手段が設けられている、
ことを特徴とする請求項１又は請求項２に記載の冷却衣服。
【請求項４】
前記通路部が、前記前面から張り出す筒状のカバー部によって構成されている、
ことを特徴とする請求項１から請求項３の何れか１項に記載の冷却衣服。
【請求項５】
前記裏地側に、前記カバー部を固定する固定手段又は前記カバー部を収容する収容手段が設けられている、
ことを特徴とする請求項４に記載の冷却衣服。
【考案の詳細な説明】
【技術分野】
【０００１】
本考案は、例えば、着用者が装着する作業装着具と連結される連結部材を前面から通すことができる冷却衣服に関するものである。
【背景技術】
【０００２】
鉄工所や夏の屋外の工事現場のような、高温環境下で作業する場合、体温の上昇を抑制することが必要となる。このような環境下では、安全性や機能性の面から、生地が厚い衣服が着用されている。高温環境下で長時間の作業を行う場合、体外に熱を充分に放出することができないため、過度の体温上昇を引き起こして熱中症に陥るおそれがある。
そのため、従来から、高温環境下で作業する時に着用する衣服として、冷却風を送出する風発生装置が装着された冷却衣服（空調服）が使用されている（例えば、特許文献１から特許文献３）。
【０００３】
特許文献１から特許文献３の冷却衣服は、軸流ファン、使用者の側で軸流ファンを支持するモータ、空気取込口、空気排出口を有する風発生装置と、風発生装置を装着する取付け孔とを備えている。この風発生装置は、取付け孔に対して斜め下方向に５°〜３５°傾斜して装着され、風発生装置が作動したときに、風発生装置の斜め下方向から空気取込口を介して空気が取り込まれ、風発生装置の斜め上方向に空気排出口を介して使用者に向けて送風される。
これらの冷却衣服は、冷却衣服の上方向、つまり襟元部や袖口部に向けて多量の空気を流すことができるため、効率よく身体を冷却することができることに加え、襟元部や袖口部の方向に、多量の空気を流すことができるため、冷却衣服の内部に滞留する空気を減少させることができ、軸流ファンを作動させるモータの負担を低減できる。
【先行技術文献】
【特許文献】
【０００４】
【特許文献１】特許第５９５８９２３号公報
【特許文献２】特許第６０６１１６６号公報
【特許文献３】特許第６０７８９３７号公報
【考案の概要】
【考案が解決しようとする課題】
【０００５】
刈払機を使用する作業者は、身体に作業装着具を着用し、作業装着具に連結された刈払機保持部材に刈払機を取り付ける。作業装着具は、例えば、肩ベルト、腰ベルトから構成される。刈払機保持部材は、腰の側部に設けられ、肩ベルト又は腰ベルトに連結部材（例えば、連結ベルト）によって取り付けられる。
従来の冷却衣服は、裾部分が腰部分を覆っているため、作業装着具を装着した作業者が従来の冷却衣服を着用すると、裾部分の下側から冷却衣服の外側に連結ベルトを引き出し、刈払機保持部材と連結する必要があった。
裾部分の下側から連結ベルトを引き出すと、連結ベルトが冷却衣服の裾部分をめくり上げるため裾部分と身体との間に隙間が生じ、その隙間から冷却風が外側に漏れ出し、身体の上半身を効率的に冷却できなかった。また、身体を効率的に冷却するために、隙間から冷却風が漏れ出すことを想定し、送出する冷却風の風量を増加させるために、モータの回転数を増加させていた。モータの回転数を増加させると、充電が早く切れてしまうため、作業時間を長く確保することができなかった。
【０００６】
そこで、本考案は、冷却風が外側に漏れ出すことを防止し、効率的に身体を冷却する冷却衣服を提供することを目的とする。
【課題を解決するための手段】
【０００７】
本考案に係る冷却衣服は、軸流ファンを駆動するモータ、外側から空気を取り込む空気取込口、および内側に冷却風を送出する空気送出口を有する風発生手段が装着される取付け孔が背面に形成され、表地側と裏地側を貫通し、着用者が着用する作業装着具と連結される連結部材が通される通路部が前面に設けられていることを特徴とする。
【０００８】
本考案に係る冷却衣服は、胴体部を高さ方向に向けて二等分する中心線の両側の脇腹近傍にポケット部を有し、通路部がポケット部と連通して形成されていることを特徴とする。
【０００９】
本考案に係る冷却衣服は、前記通路部の開口縁を塞ぐ閉塞手段、又は前記開口縁を収縮させる収縮手段が設けられていることを特徴とする。
【００１０】
本考案に係る冷却衣服は、通路部が前面から張り出す筒状のカバー部によって構成されていることを特徴とする。
【００１１】
本考案に係る冷却衣服は、裏地側に、カバー部を固定する固定手段又はカバー部を収容する収容手段が設けられていることを特徴とする。
【考案の効果】
【００１２】
本考案に係る冷却衣服は、前面に、表地側と裏地側を貫通する通路部が設けられている。そのため、例えば、刈払機を使用して作業をする場合、通路部を介して、外側の刈払機と内側の作業装着具とを連結部材で連結できる。
そうすると、従来の冷却衣服のように、裾部分がめくれあがることにより、身体との間に大きな隙間が生じず、冷却風がその隙間から外側に漏れ出すことを防止できる。この冷却風が漏れ出すことを防止することで、腰部分より上側に適切な量の冷却風を送出することができるため、上半身を効率的に冷却することができる。
【００１３】
また、本考案に係る冷却衣服は、通路部の開口縁を塞ぐ閉塞手段、又は前記開口縁を収縮させる収縮手段が設けられている。閉塞手段や収縮手段により、通路部と連結部材との間の隙間を小さくできるため、冷却風が通路部から外側に漏れ出すことを確実に防止でき、効率よく身体を冷却することができる。
さらに、冷却風が漏れ出すことを防止できるため、過剰の冷却風を送出する必要がなくなり、モータへの負担を軽減でき、作業時間を長く確保できる。
【図面の簡単な説明】
【００１４】
【図１】本考案に係る冷却衣服の背面図である。
【図２】本考案に係る冷却衣服の正面図である。
【図３】本考案に係る冷却衣服の通路部を構成するカバー部が裏地側に固定された状態を説明するための図である。
【図４】本考案に係る冷却衣服の片側の通路部が使用されている状態を説明するための図である。
【図５】本考案に係る冷却衣服の両側の通路部が使用されている状態を説明するための図である。
【考案を実施するための形態】
【００１５】
本実施形態に係る冷却衣服を、図１〜図５を参照し、説明する。
本実施形態では、作業者が作業装着具を着用し、作業装着具の上から着用する冷却衣服１について説明する。
なお、図面上、裾口幅方向を幅方向Ｘ、幅方向Ｘと直交する着丈方向を高さ方向Ｙとする。
【００１６】
初めに、冷却衣服１の冷却機能について、簡潔に説明する。図１は、本実施形態にかかる冷却衣服１の背面図を示している。
冷却衣服１は、図１に示すように、胴体部２と、胴体部２の両側に縫い付けられた袖部３とを備えている。そして、胴体部２の背面には、軸流ファンを駆動するモータ、外側から空気を取り込む空気取込口１０、および内側に冷却風を送出する空気送出口を有する風発生手段としての風発生装置４が装着される取付け孔５が形成されている。この取付け孔５は、腰部分、かつ幅方向Ｘの裾部１２を二等分する中心線Ｌの両側にそれぞれ形成されている。冷却衣服１の使用時には、風発生装置４が腰部分に２つ設けられる。
【００１７】
風発生装置４を稼働させると、外側から空気取込口１０を介して空気を取り込み、空気送出口を介して冷却衣服１の内側に冷却風が送出される。送出された冷却風は、裏地と身体との間に形成された流路１１を通過して、腰部分よりも上側に流れる。そして、この冷却風は、襟元部８や袖口部９から外側に排出される（矢印Ｆ）。冷却風が、襟元部８や袖口部９から排出されることで、身体が冷却される。
【００１８】
図２は、本実施形態にかかる冷却衣服の正面図を示している。
本実施形態の冷却衣服１は、図２に示すように、胴体部２の前面の脇腹部分、かつ胴体部２を高さ方向Ｙに向けて二等分する中心線Ｌの両側にポケット部６を備えている。このポケット部６には、胴体部２の表地側と裏地側を貫通する通路部としてのカバー部２０が、それぞれ設けられている。また、このポケット部６には、線ファスナ７が設けられている。
冷却衣服１の前面にカバー部（通路部）２０が形成されている点が、本考案の大きな特徴部分である。
【００１９】
カバー部２０は筒状であり、その基端部２１は、ポケット部６の内部の側部に連結されており、ポケット部６から冷却衣服１の外側に引き出される。カバー部２０は、胴体部２と同じ素材で作製されている。なお、カバー部２０は、胴体部２と同じ素材以外であってもよく、空気を通しにくい素材が好ましい。
このカバー部２０の他端部２２には、カバー部２０の開口縁（開口部）２３を塞ぐ閉塞手段としての閉塞紐２４が設けられている。この閉塞紐２４は、カバー部２０の他端部２２の開口縁２３近傍の外周に設けられている。この閉塞紐２４を引っ張り、開口縁２３を絞ることで、カバー部２０の開口縁２３の開口面積（開口度）を自在に変更することができる。
【００２０】
図３は、カバー部２０を使用していない状態の冷却衣服１を示している。
冷却衣服１は、図３に示すように、裏地側に、カバー部２０を固定する固定手段としての固定バンド２５が設けられている。この固定バンド２５の一端には面ファスナが設けられ、裏地側に設けられた面ファスナと重ね合わせることで、固定バンド２５の一端を裏地に取り付けたり、取り外したりできる。固定バンド２５には、固定バンド２５の長手方向に向けて、複数の面ファスナが設けられている。
固定バンド２５は、１つのカバー部２０に対し、複数設けられ、本実施形態の冷却衣服１では、高さ方向に並列して２つ設けられている。
カバー部２０を使用しない場合、カバー部２０は、ロール状に折り畳まれ、固定バンド２５で押さえつけることで、裏地側に固定される。
なお、面ファスナの代わりに、固定バンド２５及び裏地にボタン部を設けて、裏地に固定バンド２５の一端を取り付けたり、取り外したりすることもできる。
【００２１】
次に、刈払機を使用する作業者が冷却衣服１を着用し、片方のカバー部２０を使用する例について説明する。
刈払機を使用する作業者は、図４に示すように、身体に作業装着具３０を身に着け、その上から冷却衣服１を着用する。この作業装着具３０は、肩ベルト３２と、連結具３３を介して、肩ベルト３２と連結される腰ベルト３４とを備えている。
そして、一方のカバー部２０をポケット部６から外側に引き出し、連結部材としての連結ベルト３１をカバー部２０に通す。この連結ベルト３１の連結具３３と連結されない側には、刈払機保持部材（図示しない）が設けられており、この刈払保持部材に刈払機が取り付けられる。連結ベルト３１は、連結具３３と連結することで、冷却衣服１の外側の刈払機保持部材（図示しない）と、内側の作業装着具３０とを連結する。
刈払機の重量は、作業装着具３０に加わり、作業装着具３０を装着している作業者が刈払機の重量を支えることになる。
【００２２】
刈払機保持部材と連結具３３とを連結ベルト３１によって連結した後、閉塞紐２４を引っ張ることにより、開口縁２３を絞り、カバー部２０で連結ベルト３１の周囲を緊縛させ、閉塞紐２４を開口縁２３と連結ベルト３１の間にできるだけ隙間が生じない位置で固定する。
カバー部２０の基端部２１は、ポケット部６の内部の側部に連結されているため、ポケット部６は、カバー部２０が冷却衣服１の外側に引き出された後も、物を収容できるポケットとしての機能を有する。
【００２３】
次に、本実施形態に係る冷却衣服１の作用効果について、従来の冷却衣服と対比して、説明する。
【００２４】
従来の冷却衣服では、前面に連結ベルトを通すための通路部（通路孔）が形成されていなかったため、連結ベルトと作業装着具を連結する際、冷却衣服の裾部分の下側から連結ベルトを通して、作業装着具と連結させなければならず、連結ベルトによって裾部分の下側がめくり上げられ、大きな隙間が生じていた。冷却風が、この大きな隙間から外側に漏れ出すことで、襟元部や袖口部から排出される冷却風の量が減少し、身体の上半身を効率的に冷却できなかった。
【００２５】
一方、本実施形態の冷却衣服１では、前面に、連結ベルト３１を通すためのカバー部２０が設けられ、このカバー部２０に連結ベルト３１を通すことで、外側の刈払機保持部材と、内側の作業装着具３０と連結ベルトで連結できる。そのため、従来の冷却衣服のように、裾部分と身体との間に大きな隙間を生じずに、連結ベルト３１を連結具３３（作業装着具３０）に連結できる。
したがって、冷却風が裾の下側から外側に漏れ出すことを防止し、腰部分より上側に適切な量の冷却風を送出することができ、上半身を効率的に冷却することができる。
【００２６】
また、本実施形態の冷却衣服１のカバー部２０の開口縁２３は、閉塞紐２４によって閉塞される。そのため、開口縁２３と閉塞紐２４との間に形成される隙間を小さくすることができ、冷却風がカバー部２０から外側に漏れ出すことを確実に防止できる。そして、冷却風が、外側に漏れ出すことを防止することにより、腰部分より上側に適切な量の冷却風を送出させることができことに加え、腰部分よりも上側に冷却風を送出させるために軸流ファンの回転数が増加させる必要がなくなり、モータへの負担を軽減できる。
特に、長い時間、作業する場合には、モータの充電が切れることを回避し、作業を一旦中止する必要がなくなる。
【００２７】
冷却衣服１において、カバー部２０の開口縁２３を閉塞紐２４によって絞り、外側に冷却風が漏れないように使用するのが通常であるが、開口縁２３の開口度を調整することで、前方の脇腹部分を選択的に冷却することもできる。
本実施形態の冷却衣服１において、閉塞紐２４の絞りを緩めることで、開口縁２３の開口度を調整し、連結ベルト３１と開口縁２３との間の隙間を大きくすることができる。そうすると、冷却風は、この隙間を通って、外側に排出され、前方の脇腹付近が選択的に冷却される。
【００２８】
本実施形態の冷却衣服１において、カバー部２０は、ポケット部６の内部で連通して設けられているため、カバー部２０を使用しない場合でもポケット部６の内部に収容でき、通常の作業着（冷却衣服）と同様な外観で着用できる。
また、冷却衣服１の裏地には、固定バンド２５が設けられているため、カバー部２０を使用していない場合でも、カバー部２０を裏地側にまとめて固定することができる。カバー部２０を裏地側にまとめて固定されると、作業者の邪魔とならない。
【００２９】
以上、片側のカバー部２０を使用した例を示したが、図５に示すように、両側のカバー部２０を使用することもできる。カバー部２０の使用方法は、上述した方法と同様であり、冷却衣服１の前面の両側にカバー部２０を介して、連結ベルト３１を通すことができる。
そのため、冷却衣服１は、刈払を使用する場合以外でも、両脇（両側）に機器を配置し、その機器と作業装着具３０を連結ベルト３１で連結する場合にも使用できる。
【００３０】
以上、本実施形態について説明したが、これ以外にも、本考案の主旨を逸脱しない限り、上記実施の形態で挙げた構成を取捨選択したり、他の構成に適宜変更することが可能である。
例えば、本実施形態では、刈払機を使用する作業者の例について説明したが、刈払機以外の機器を使用し、その機器を作業装着具３０によって支える場合にも本実施形態の冷却衣服１は有効である。
【００３１】
冷却衣服１において、閉塞紐２４の代わりに、カバー部２０の他端部２２の開口縁２３近傍の外周に収縮手段としてのゴム紐（図示しない）を設けることもできる。ゴム紐を設けることで、冷却風がカバー部２０を介して、外側に漏れ出すことを確実に防止できる。また、閉塞紐２４、ゴム紐を設ける位置は、開口縁２３近傍に限定されず、カバー部２０から冷却風が漏れ出さない位置であれば良い。
さらに、冷却衣服１の裏地には、固定バンド２５に代えて、カバー部２０を収容できる収容手段としての収容片（収容袋）を設けることもできる。
なお、カバー部２０は、ポケット部６の内部に連通して形成されていなくてもよく、ポケット部６以外の位置にも設けることができる。
【符号の説明】
【００３２】
１      冷却衣服
２      胴体部
３      袖部
４      風発生装置（風発生手段）
５      取付け孔
６      ポケット部
７      線ファスナ
８      襟元部
９      袖口部
１０    空気取込口
１１    流路
１２    裾部
２０    カバー部（通路部）
２１    基端部
２２    他端部
２３    開口縁（開口部）
２４    閉塞紐（閉塞手段）
２５    固定バンド
３０    作業装着具
３１    連結ベルト（連結部材）
３２    肩ベルト
３３    連結具
３４    腰ベルト
Ｌ      中心線
Ｘ      幅方向
Ｙ      高さ方向
【図１】
0003212889.tif 000003
【図２】
0003212889.tif 000004
【図３】
0003212889.tif 000005
【図４】
0003212889.tif 000006
【図５】
0003212889.tif 000007